(57)【要約】【課題】  ラウンドリクライニング装置をシートのクッションフレーム側とバックフレーム側に装着した状態で、外歯が内歯に完全に噛合しているか否か確認できるようにする。【手段】  カム５１を回転させて外歯を内歯に噛合させるリクライニング軸５に一体に有するレバー５ニ、クッションフレームＡ側又はバックフレーム側に対するレバー５の位置確認用の確認手段１０、１１、１３を設けたことを特徴とする。【選択図】  図２ 
2005335636.tif 000002
【特許請求の範囲】
【請求項１】
クッションフレーム側とバックフレーム側のいずれか一方にベースプレート、他方にベースプレートに回転可能に組付けるギャプレートを固設し、ギャプレートの内周に内歯を有し、ベースプレートに、前記内歯に半径方向に摺動して噛合すると共に噛合方向にバネによって付勢されている複数のロックギャを設け、この複数のロックギャの中心にリクライニング軸が挿通されているカムを配設すると共に前記リクライニング軸のベースプレート又はギャプレートの外側に突出する部分にレバーを一体に有し、このレバーの操作によりリクライニング軸を前記バネの付勢力に抗して回転させることにより、前記ロックギャとギャプレートとの噛合状態を解除してバックフレームをアンロック状態にするリクライニング装置において、
前記レバーに、クッションフレーム側又はバックフレーム側に対する位置確認用の確認手段を設けてなるリクライニング装置。
【請求項２】
前記確認手段はレバーの先端部に設けた位置確認孔と、このレバーに対向する前記クッションフレーム側又はバックフレーム側に設けた位置決め孔からなる請求項１のリクライニング装置。
【請求項３】
前記レバーにはケーブルを連結し、このケーブルにレバー調整部材を設けてなる請求項１記載のリクライニング装置。
【発明の詳細な説明】
【技術分野】
【０００１】
本発明は自動車用シートなどのシートのリクライニング装置に関する。
【背景技術】
【０００２】
従来のリクライニング装置にはラウンドリクライニング装置と称されるもの、例えば、特開２００３ー２８９９７３号公報、特開２００２ー１７７０８４号公報、特開平８ー２５３０６３号公報に開示されているものがある。
【０００３】
【特許文献１】特開２００３ー２８９９７３号公報
【特許文献２】特開２００２ー１７７０８４号公報
【特許文献３】特開平８ー２５３０６３号公報
【０００４】
即ち、このリクライニング装置は、クッションフレーム側とバックフレーム側のいずれか一方にベースプレート、他方にベースプレートに回転可能に組付けるギャプレートを固設し、ギャプレートの内周に内歯を有し、ベースプレートに、前記内歯に半径方向に摺動して噛合すると共に噛合方向にバネによって付勢されている複数のロックギャを設け、この複数のロックギャの中心にリクライニング軸が挿通されているカムを配設すると共に前記リクライニング軸のベースプレート又はギャプレートの外側に突出する部分にレバーを一体に有し、このレバーの操作によりリクライニング軸を前記バネの付勢力に抗して回転させる前記ロックギャとギャプレートとの噛合状態を解除してバックフレームをアンロック状態にする構造である。
【発明の開示】
【発明が解決しようとする課題】
【０００５】
以上のリクライニング装置は、クッションフレーム側とバックフレーム側の双方に通孔をあけ、この通孔にベースプレート、ギャプレートに設けた突起を嵌合した後、溶接して、ベースプレート、ギャプレートをクッションフレーム側、バックフレーム側に固設している。
【０００６】
ところで、前記外歯が内歯の周方向に不完全な状態（ハーフロック状態）で噛合している状態で、ベースプレート、ギャプレートをクッションフレーム側、バックフレーム側に固設すると、前記リクライニング軸の回転によるアンロック及びロックギャによるロックが的確に行うことができない。
【０００７】
そして、外歯が内歯の周方向に完全且つ的確に噛合しているか、否か、ベースプレート等をクッションフレーム側等に固設した後においては、外部から確認できない。
【０００８】
そこで、本発明は斯様な不具合を除去することを目的とする。
【課題を解決するための手段】
【０００９】
以上の目的を達成するための本発明は前記従来のリクライニング装置において、前記レバーに、クッションフレーム側又はバックフレーム側に対する位置確認用の確認手段を設けてなる構成である。
【００１０】
以上のレバーがリクライニング軸とカムとに一体に形成され、カムによって半径方向に摺動するロックギャはあらかじめガイドにより位置決めされてベースプレートに組込まれているため、レバーの回動位置が所定位置にある場合には外歯が内歯に完全且つ的確に噛合する。
【００１１】
そして、前記確認手段はレバーの先端部に設けた位置確認孔と、このレバーに対向する前記クッションフレーム側又はバックフレーム側に設けた位置決め孔から構成し、両孔に、ピンなどの治具を挿通することにより、構造が簡単で確認し易くなる。また、前記レバーにはケーブルを連結し、このケーブルにレバー調整部材を設けることにより、レバーを回動して外歯が内歯に完全に噛合するように調整できる。
【発明の効果】
【００１２】
本請求項１の発明によれば、ラウンドリクライニング装置において、内歯に対する外歯の噛合状態が不完全な状態で、ラウンドリクライニング装置がクッションフレーム側及びシートバック側に組付けられた場合、その状態を外部から確認できる。
【００１３】
本請求項２の発明によれば、レバーの位置を確認し易い。
また請求項３の発明によれば、外歯が内歯に不完全な状態で組付けられた場合に、それを完全な状態に調整できる。
【発明を実施するための最良の形態】
【００１４】
以下、本発明の一実施例を図面に基づいて説明する。
ラウンドリクライニング装置は従来周知の構造のもので、図示するものはシートバックのバックフレームＢに、椀形のギャプレート４０、シートクッションを取付けるベースフレームＡ又はシートクッションのクッションフレームに、円板状のベースプレート３０を各々従来と同様な方法で固設している。
【００１５】
図中３０Ａ…、４０Ａ…はベースフレームＡ、バックフレームＢに設けた通孔に嵌合して溶接したベースプレート３０、ギャプレート４０と一体の突起を示す。
【００１６】
３１はロックギャで、ギャプレート４０とベースプレート３０との間に配設しギャプレート４０の周方向に設けた内歯に噛合する外歯を有しベースプレート３０の内面に一体に設けたガイド片によって周方向に移動不能に、且つ半径方向に摺動自在にベースプレート３０に組込まれている。
【００１７】
図中５１はカムで、一端をベースプレート３０側に掛止したバネ（不図示）の他端が係止され、バネの弾力によってロックギャ３１に弾接し、ロックギャ３１の外歯をギャプレート４０の内歯に噛合するように付勢している。
【００１８】
このカム５１にはリクライニング軸５が挿通され、リクライニング軸５を回転することにより、カム５１がバネの弾力に抗して回転するようになっている。
【００１９】
図示するリクライニング軸５は一端をベースプレート３０からベースフレームＡの外側に突出するように設け、この突出部にレバー１が一体に取付けられている。図中３２はリング状のブラケットを示す。
【００２０】
従って、レバー１を操作すると、リクライニング軸５を介してカム５１がバネの弾力に抗して回転して、ロックギャ３１の外歯がギャプレート４０の内歯から離脱してアンロック状態になり、バックフレームＢが前後方向に回動可能となる。
【００２１】
以上の従来のラウンドリクライニング装置において、レバー１の先端部に位置確認用の確認手段が設けてある。
【００２２】
この確認手段はレバー１に対向するベースプレート３０又はギャプレート４０に対するレバー１の位置を確認するものである。
即ち、ロックギャ３１の外歯がギャプレート４０の内歯に完全に噛合していない場合には、カム５１の回転が不充分でロックギャ３１を適正に押圧していない。そのため、カム５１を挿通するリクライニング軸５の回転位置が、ロックギャ３１の外歯がギャプレート４０の内歯に完全に噛合している場合と異なる。そのため、リクライニング軸５と一体のレバー１の回転位置も、外歯と内歯が完全に噛合している場合と、不充分（ハーフロック状態）な状態と異なる。
【００２３】
そこで、レバー１の回転位置が確認し易いレバー１の先端部に確認手段を設ける。
【００２４】
図示する確認手段はレバー１の先端部に開孔した位置確認孔１０と、ベースフレームＡに設けた位置決め孔１１とから構成されている。
【００２５】
位置決め孔１１はカム５１によって外歯が内歯に完全に噛合している状態におけるレバー１の確認孔１０の位置をあらかじめベースフレームＡに位置決めして、その位置に開孔したものである。
【００２６】
以上の確認孔１０と位置決め孔１１はいずれも内径が６ミリ程度に形成して図２に示す治具ピンＣが両孔１０、１１に挿通し得るように構成されている。
【００２７】
そして、治具ピンＣが両孔１０、１１に挿通できる場合には、レバー１の回動位置が適正で、リクライニング軸５、カム５１を介してロックギャ３１の外歯が、ギャプレート４０の内歯に完全に噛合していることが確認できる。
【００２８】
そして、治具ピンＣが確認孔１０から位置決め孔１１に挿通できない場合には、レバー１の回動位置が不適性で、外歯が内歯に完全に噛合していないことが確認される。
【００２９】
なお、確認孔１０が位置決め孔１１に対して図１において上方にズレている場合には外歯が内歯に対してロック方向にズレているので問題がないが、確認孔１０が位置決め孔１１に対して下方（図１において）にズレている場合には外歯が内歯に対してロック解除方向にズレている状態であるので、レバー１を回動して調整する必要がある。
【００３０】
この場合には、レバー１に一端を連結するケーブル２（例えばロック解除用ケーブル）に設けた調整部材であるナット２０を締めて、ケーブル２を引き、レバー１を回動して、外歯が内歯に完全に噛合するように調整する。図中１３はレバー１に設けたケーブル２の連結孔を示す。
【００３１】
なお、図示するものは治具ピンＣを確認孔１０、位置決め孔１１に挿通することにより、レバー１の回動位置が適正か、否か確認しているが、他の確認手段、例えば、直角状の定規で、レバー１の先端とをベースフレームＡに設けた目印に一致するか否か確認する手段を使用しても良い。
【図面の簡単な説明】
【００３２】
【図１】本発明の要部を示す正面図である。
【図２】図１のIIーII線断面図である。
【符号の説明】
【００３３】
Ａ…ベースフレーム又はクッションフレーム、Ｂ…バックフレーム、１…レバー、２…ケーブル、５…リクライニング軸、１０…確認手段、１１…確認手段、１３…確認手段、３０…ベースプレート、３１…ロックギャ、４０…ギャプレート、５１…カム
【図１】
2005335636.tif 000003
【図２】
2005335636.tif 000004